(57)【要約】【課題】異物の所定以上の引き込みを阻止すると共に、容易に引き抜くことのできる引き込み扉用安全装置の提供。【解決手段】出入口の扉が引き込まれる袖側に出入口用枠縁を備えた引き込み扉において、前記出入口用枠縁の前記扉側の角縁部を、当該角縁部と前記扉との間の引き込み隙幅に引き込まれた異物の圧力により、前記引き込み間隙が拡大するよう前記出入口用枠縁の内部側に回動させる角縁部可動手段と、前記角縁部の位置よりも引き込み方向の奥側に位置し、前記角縁部の回動によって、異物の引き込みを阻止するよう前記引き込み間隙に阻止部材を出現させる引き込み阻止手段とを備えたことを内容とする。【選択図】　　　　図４
2004060325.tif 000002
【特許請求の範囲】
【請求項１】
出入口の扉が引き込まれる袖側に出入口用枠縁を備えた引き込み扉において、
前記出入口用枠縁の前記扉側の角縁部を、当該角縁部と前記扉との間の引き込み隙幅に引き込まれた異物の圧力により、前記引き込み間隙が拡大するよう前記出入口用枠縁の内部側に回動させる角縁部可動手段と、
前記角縁部の位置よりも引き込み方向の奥側に位置し、前記角縁部の回動によって、異物の引き込みを阻止するよう前記引き込み間隙に阻止部材を出現させる引き込み阻止手段とを備えたことを特徴とする引き込み扉用安全装置。
【請求項２】
阻止部材は、当該阻止部材の幅方向の略中央側に回動中心を有する板状部材であって、引き込み阻止手段は、当該阻止部材の幅方向の一方端側で角縁部の回動作用を受け、幅方向の他方端側を異物を押し戻す方向に回動させながら引き込み間隙に出現させる構成としたことを特徴とする請求項１に記載の引き込み扉用安全装置。
【請求項３】
引き込み阻止手段は、角縁部の回動によって引き込み間隙に出現する一対のローラであって、引き込まれる扉面に圧接されて自転する第１のローラと、当該第１のローラよりも引き込み方向の前側にあって、前記第１のローラに追従し逆回転しながら引き込まれてくる異物に当たる第２のローラとを備えた構成であることを特徴とする請求項１に記載の引き込み扉用安全装置。
【請求項４】
阻止部材は、当該阻止部材の幅方向の略中央側に回動中心を有する板状部材であって、当該阻止部材の幅方向の一方端側で角縁部の回動作用を受け、幅方向の他方端側が異物を押し戻す方向に回動しながら引き込み間隙に出現するように設けられ、
前記阻止部材の他方端側に、引き込まれる扉面に圧接されて自転する第１のローラと、当該第１のローラよりも引き込み方向の前側にあって、前記第１のローラに追従し逆回転しながら引き込まれてくる異物に当たる第２のローラとが配設されたことを特徴とする請求項１に記載の引き込み扉用安全装置。
【発明の詳細な説明】
【０００１】
【発明の属する技術分野】
本発明は、出入口の扉が引き込まれる袖側に出入口用枠縁を備えた引き込み扉、例えば、エレベータの乗場側の出入口の扉において、戸開時に引き込まれる扉の正面側と、出入口用枠縁の前記扉の正面側を向いた面と出入口側を向いた面とが接する角縁部（正確には当該角縁部の扉側の面）との引き込み間隙に、指等の身体の一部や被服の一部等の異物が引き込まれるのを阻止する引き込み扉用安全装置に関する。
【０００２】
以下、本明細書においては、エレベータに限らず、一般に、引き込まれる扉の正面を単に扉面という。又、同様に、出入口用枠縁の、前記扉面側を向いた面と出入口側を向いた面とが接する断面Ｌ字状の角部であって、異物が引き込まれる可能性のある上下方向の所要の領域を単に角縁部という。更に、扉面と角縁部（正確には当該角縁部の扉面と相対する面）との間隙を単に引き込み間隙といい、指等の身体の一部や被服の一部等を総称して単に異物という。
【０００３】
【従来の技術】
従来のこの種の安全装置の第１の例として、図９に示す実開昭５８−６７８７４号公報に掲載の装置を説明する。
図示の安全装置では、扉１と出入口用枠縁２の角縁部２ａとの間の引き込み間隙Ｇに、異物（図では指）が引き込まれようとする際の圧力による変位を検出するセンサ４の感知部として、出入口用枠縁２の袖枠２ｂに対して角縁部２ａを検出するに足るだけ変移するよう変移可能に形成し、異物との接触によって押された角縁部２ａの僅かな変移を、当該角縁部２ａの内側に設けたセンサ４によって検出し、これを異状検出信号として図示されていない安全回路に出力することによって、扉３の引き込み動作を停止させている。
【０００４】
又、第２の例としての、図１０に示す実公昭５５−２２０６６号公報に掲載の安全装置は、出入口用枠縁２の袖枠２ｂに対して、その角縁部２ａを扉１の引き込み方向に平行に押し込まれるように形成し、引き込まれた異物によって押し込まれた角縁部２ａの僅かな変移を、当該角縁部２ａの内側の出入口用枠縁２内に設けたセンサ４によって検出し、上記と同様に、扉３の引き込み動作を停止させるものである。尚、図１０において図９と同一の符号は同じ内容である。
【０００５】
【発明が解決しようとする課題】
上記のような従来の安全装置では、何れも、出入口用枠縁２の角縁部２ａと扉面１ａとの間の引き込み間隙Ｇに引き込まれる異物の圧力を検出して、扉１の引き込み動作を直ちに停止させようとするものではあるが、異常が検出されてから扉１を完全に停止させるまでに若干の時間を要する上に、引き込み方向の慣性によって扉１を直ちに停止させることが困難である。
即ち、異物が検出されても扉を直ちに停止させることはできず、検出後も、遺物は、慣性によって戸開する扉に引きずられて引き込まれていくため、異物は検出された位置よりも更に奥に引き込まれてしまう。
【０００６】
本発明は、上記の問題を解消し、異物の所定以上の引き込みを阻止すると共に、容易に引き抜くことのできる引き込み扉用安全装置の提供を目的とする。
【０００７】
【課題を解決するための手段】
請求項１の引き込み扉用安全装置の発明は、出入口の扉が引き込まれる袖側に出入口用枠縁を備えた引き込み扉において、
前記出入口用枠縁の前記扉側の角縁部を、当該角縁部と前記扉との間の引き込み隙幅に引き込まれた異物の圧力により、前記引き込み間隙が拡大するよう前記出入口用枠縁の内部側に回動させる角縁部可動手段と、
前記角縁部の位置よりも引き込み方向の奥側に位置し、前記角縁部の回動によって、異物の引き込みを阻止するよう前記引き込み間隙に阻止部材を出現させる引き込み阻止手段とを備えたことを内容とする。
【０００８】
請求項２の発明は、請求項１記載の引き込み扉用安全装置において、阻止部材は、当該阻止部材の幅方向の略中央側に回動中心を有する板状部材であって、引き込み阻止手段は、当該阻止部材の幅方向の一方端側で角縁部の回動作用を受け、幅方向の他方端側を異物を押し戻す方向に回動させながら引き込み間隙に出現させる構成としたことを内容とする。
【０００９】
請求項３の発明は、請求項１に記載の引き込み扉用安全装置において、引き込み阻止手段は、角縁部の回動によって引き込み間隙に出現する一対のローラであって、引き込まれる扉面に圧接されて自転する第１のローラと、当該第１のローラよりも引き込み方向の前側にあって、前記第１のローラに追従し逆回転しながら引き込まれてくる異物に当たる第２のローラとを備えた構成であることを内容とする。
【００１０】
請求項４の発明は、請求項２に記載の引き込み扉用安全装置において、阻止部材は、当該阻止部材の幅方向の略中央側に回動中心を有する板状部材であって、当該阻止部材の幅方向の一方端側で角縁部の回動作用を受け、幅方向の他方端側が異物を押し戻す方向に回動しながら引き込み間隙に出現するように設けられ、前記阻止部材の他方端側に、引き込まれる扉面に圧接されて自転する第１のローラと、当該第１のローラよりも引き込み方向の前側にあって、前記第１のローラに追従し逆回転しながら引き込まれてくる異物に当たる第２のローラとが配設されたことを内容とする。
【００１１】
【発明の実施の形態】
実施の形態１．
以下、本発明の実施の形態１をエレベータの乗場側の扉を例として、図１乃至図６に基づいて説明する。図１は乗場側からみた当該乗場口の正面図、図２は図１のＡ−Ａ線部断面図、図３は図１のＢ−Ｂ線部断面図、図４は図３の要部拡大図、図５は図４の要部拡大側面図、図６は異物が引き込まれた状態を示す図である。
【００１２】
図１乃至図２において、１、１はエレベータ乗場側の両開きの扉、２、２はエレベータ乗場側の出入口の左右の袖側に配設された出入口用枠縁であり、３は乗場側の床である。
図１乃至図４において、出入口用枠縁２は角縁部２ａと袖枠２ｂとで構成されている。角縁部２ａは、引き込み間隙Ｇに引き込まれた異物の圧力に応じて、扉面１ａとの間の引き込み間隙Ｇが拡大するよう当該出入口用枠縁２の内側方向に回動（以下、拡大回動ともいう）するよう、袖枠２ｂに回動軸（回動中心軸）としての蝶番５を介して軸着されている。
【００１３】
図３及び図４において、図示の角縁部２ａは、水平断面において、略コ字形に構成されているが、これに限らず、少なくとも、扉面１ａに相対して通常時の引き込み間隙Ｇを形成する扉側面２１ａと出入口側を向いた出入口側面２２ａとを備えた断面Ｌ字状の本体を備えていればよい。
この実施の形態では、扉側面２１ａの他方縁側を折り曲げて係止受部２３ａ（詳しくは後述する）として全体をコ字状としている。
角縁部２ａは、通常時、その出入口側面２２ａが袖枠２ｂの出入口側面と平らな連続面となるよう常時適宜な付勢手段で付勢されており、これにより、角縁部２ａは、その扉側面２１ａが扉面１ａとの間で通常時の引き込み間隙Ｇを保つ。尚、角縁部２ａを付勢する前記の付勢手段は、例えば、回動軸としての蝶番５にバネ（図示せず）を介装させてもよい。
【００１４】
引き込み間隙Ｇに異物が引き込まれた際に、引き込み間隙Ｇを大きく拡開させるためには、角縁部２ａの出入口側面２２ａの幅、即ち、扉面１ａ側から蝶番５の回動軸までの長さを十分に長くすることによって実現することができる。
即ち、角縁部２ａの回動中心位置を扉面１ａから遠く離すことによって、異常発生の際に、通常の引き込み間隙Ｇを更に数倍以上の大きさに拡開することができる。
尚、この角縁部２ａの上下方向の長さは、図１に示すように、異物が引き込まれる可能性のある引き込み間隙Ｇの高さ方向に適宜形成すればよい。この例では、大人や子供等の乗客の手が通常届く範囲、例えば床面３から３００ｍｍ程度の高さ位置から１８００ｍｍ程度の高さ位置辺りまでの領域を可動な角縁部２ａとしている。
【００１５】
以上のように、出入口用枠縁２の扉１側の角縁部２ａを、当該角縁部２ａと扉１との間の引き込み隙幅Ｇに引き込まれた異物の圧力によって、引き込み間隙Ｇが大きく拡大するよう回動させる角縁部可動手段２０は、この実施の形態では、上記のように、出入口用枠縁２の扉１側の角縁部２ａを、袖枠２ｂに対して可動するように形成し、この角縁部２ａを出入口用枠縁１の内部側に回動変移させるよう当該角縁部２ａの出入口側面２２ａと袖縁２ｂとを軸着させた構成としている。
【００１６】
従って、引き込み間隙Ｇに異物が引き込まれると、引き込まれてくる異物に押されて、角縁部可動手段２０の角縁部２ａが、当該引き込み間隙Ｇを大きく開くよう拡大回動するため、引き込まれた異物、例えば指や手等は、引き込みによって圧迫されることが少なくなるので、損傷することなく、容易に引き抜くことができるし、その他の物としての異物は、圧迫に押しつぶされること無く、これも比較的容易に取り出すことができる。
【００１７】
次に、図３乃至図５において、引き込み阻止手段６０を説明する。引き込み阻止手段６０は、前記の角縁部可動手段２０の位置よりも、更に、引き込み方向の奥側に位置し、異物が引き込まれた際には、角縁部２ａの拡大回動に追従して前記引き込み間隙Ｇに出現する阻止部材６１を備え、当該阻止部材６１によって異物の更なる引き込みを阻止すると共に、異物を押し戻すように作動させる。
図示の阻止部材６１は、当該阻止部材６１の幅方向の略中央側に回動軸６２を有する板状部材であって、当該阻止部材６１の幅方向の一方端側の係止受部６３が角縁部２ａの係止部２３ａに係止されている。このため角縁部２ａが拡大回動すると、その係止部２３ａに係止する係止受部６３が拡大回動作用を受け、当該阻止部材６１が回動軸６１を中心に回動（図において時計回り方向）する。これにより、当該阻止部材６１の幅方向の他方端側の阻止部６４が、異物を押し戻す方向に回動しながら引き込み間隙Ｇに出現する。
【００１８】
図４及び図６において、阻止部材６１の阻止部６４には、一対のローラ６５、６６とが配設されている。即ち、角縁部２ａの拡大回動に応じて、扉面１ａ側に回動して接近していく阻止部６４の回動方向正面側に、扉面１ａに接触して当該扉１の引き込み運動によって回転駆動される第１のローラとして比較的大径の駆動ローラ６５が引き込み方向の奥側に、当該駆動ローラ６５に接して追従する第２のローラとして比較的小径の追従ローラ６６が引き込み方向手前側（出入口側）に設けられている。
図６に示すように、駆動ローラ６５が扉面１ａに圧接された際には、他方の追従ローラ６６は、扉面１ａと接触せずに、引き込まれた異物によって拡大された引き込み間隙Ｇ２に出現し、引き込まれてくる異物に当たるように、この阻止部材６１は幅方向において適宜Ｌ字状に屈曲され、その屈曲点を回動軸６１として配設されている。
【００１９】
一対のローラ６５、６６のうち、異物に直接作用するのは、扉面１ａに接触させないローラ６６であるため、この追従ローラ６６は少なくとも可動に設けられた角縁部２ａの縦方向長さに相応する軸方向長さとするのが最適である。
又、図５に示す例のように、各ローラ６５、６６の軸方向長さを分断して、各軸方向に各々複数のローラを並べて構成してもよいが、この場合、軸方向に並ぶローラ相互の間隔はできるだけ小さくする。尚、図示の例に示す駆動ローラ６５は摩擦力を有するゴム製、追従ローラ６６は硬質のゴム又はプラスチック製としてある。
【００２０】
図４及び図６において、６７は付勢ばねであり、通常時に阻止部材６１を所定位置に保持する。６８は当該付勢ばね６７に抗して阻止部材６１を所定位置に停止させるストッパである。
このストッパ６８には、扉１の開閉を制御する安全回路（図示せず）に接続された安全スイッチ６９が配設されており、この安全スイッチ６９は、阻止部材６１がストッパ６８から離れた瞬間接点が切れて戸開動作の指令を断つように回路構成されているが、扉１の慣性による戸開動作を制御するものではない。
尚、前記の付勢ばね６７の不勢力により、阻止部材６１を介して角縁部２ａの拡大回動の抵抗として作用させ、角縁部２ａを通常時の所定位置に保持させてもよい。この場合には、角縁部２ａの回動軸としての蝶番５に介装させた付勢ばね（図示せず）は必ずしも必要でない。
【００２１】
図４乃至図６において、今、異物が引き込み間隙Ｇに引き込まれたとすると（図６）、異物は、扉１が戸開動作している間はもとより、戸開動作が停止されても慣性で動いている（戸開動作）間、扉１に引きずられて更に奥へと引き込まれていく（図６において左方向）。
例えば、図６に示すように、乗場３でエレベータの到着を待っている子供が、いたずら心で、出入口用枠縁２の角縁部２ａ付近の扉面１ａに指を押し当てていたりすると、エレベータが到着して扉３が戸開すると、扉面１ａに押しつけられていた指は、戸開と共に引き込み間隙Ｇに引き込まれていく。
【００２２】
図６において、子供の指（異物）が引き込まれていくと、引き込まれて行く指（異物）に押されて角縁部可動手段２０の角縁部２ａが、回動軸（蝶番５）に介装された付勢ばね（図示せず）の付勢力に抗して拡大回動（図において反時計回り方向に回動）するため、阻止部材６１が時計回りに回動して、駆動ローラ６５が扉面１ａに圧接される。この時、駆動ローラ６５が圧接されても、追従ローラ６６は扉面１ａと接触せず、例えば、微小な隙間Ｓ（例えば０、５〜１ｍｍ）を確保するよう配設されている。
図６において、左方向に引き込まれていく扉１の扉面１ａに圧接された駆動ローラ６５は、図において反時計回りに回転するため、追従ローラ６６は逆に図において時計回り方向に回転する。
【００２３】
さて、阻止部材６１が時計回りに回動した時、安全スイッチ６９は、阻止部材６１が離れた瞬間に接点が切れて、戸開動作の指令を断つが、扉１は慣性でなお引き込まれて行く。
しかし、引き込まれた指の先端（異物）は、時計方向に回転する追従ローラ６６に当たってはじかれるので、それ以上は引き込まれない。即ち、追従ローラ６６の回転方向が扉面１ａの引き込み方向と逆方向となるので、扉面１ａに引きずられて引き込まれてきた指の先端（異物）は、追従ローラ６６に当接することによって、更なる引き込みが阻止されるだけでなく、追従ローラ６６の回転によって弾かれ、扉面１ａから離れるように押し戻されることになる。
しかも、こうして途中まで引き込まれた指（異物）は、引き込み間隙Ｇが大きく拡大された引き込み間隙Ｇ２となるので、従来に比べて、容易に引き抜くことができる。
【００２４】
尚、指等の異物が、拡大された引き込み間隙Ｇ２から引き抜かれると、阻止部材６１は付勢手段としての例えばスプリング６７の付勢力によって、ストッパー６８の位置に復帰すると共に、角縁部２ａも、その出口側側面２２ａが袖枠２ｂの出口側側面と平らに続く面一状態となるように復帰する。
【００２５】
この実施の形態１によれば、引き込み阻止手段６０は、異物の更なる引き込みを単に阻止するに止まらず、追従ローラ６６によって引き込まれた異物を引き込み間隙Ｇから弾き出すことができる。
又、角縁部可動手段２０の角縁部２ａは、引き込まれ方向に行くにしたがって引き込み間隙Ｇが大きく拡大回動するので、従来のように、異物が引き込まれて行く程に無理な外圧が掛からなくなり、異物自体の損傷を防ぐことができる。
又、角縁部可動手段２０の角縁部２ａは、異物が引き込まれることによって引き込み間隙Ｇを大きく拡開するので、異物の引き抜きも容易となる。
【００２６】
実施の形態２．
この実施形態２は、上記実施の形態１における阻止部材６１に設けられていた駆動ローラ６５及び追従ローラ６６を取り外し、当該阻止部材６１自体に、引き込み防止機能を持たせたものである。この実施の形態２における阻止部材を符号７０で示す。この実施の形態２の引き込み扉用安全装置は、一対のローラ６５、６６を備えていない点及び阻止部材７０の形態や配置が若干異なるだけで、実質的には上記実施の形態１とほぼ同様である。
以下、これを図７及び図８において説明する。図７は引き込み扉用安全装置の水平断面図、図８は引き込み扉用安全装置の作動状態を示す水平断面図である。
【００２７】
図７及び図８において、この阻止部材７０は、角縁部２ａの高さ方向長さに応じて延在する全体が平面状の板状部材であり、幅方向中央の垂直な回動軸７１に対して、当該板状部材の左右側縁側が回動（揺動）可能に設けられている。
尚、この回動軸７１も、角縁部可動手段２０の回動軸線と平行であり、反時計回りに回動付勢する図示されていない付勢手段、例えばバネ等が介装されている。
【００２８】
図８において、阻止部材７０は、その幅方向の一方側７２が、引き込まれて行く指（異物）に押されて拡大回動する角縁部２ａの係止部２３ａの回動作用によって、図８において時計回り方向に回動する。
これにより、当該阻止部材７０の他方側７３が回動軸７１を中心に回動されて、当該他方側７３の端が扉面１ａに対して、扉１の引き込み方向と逆方向に回動しながら接近していき、拡大された引き込み間隙Ｇ２に出現して、異物の引き込みを阻止する。この場合、引き込まれていく異物が角縁部２ａを押す力が、即ち、当該他方側７３の異物を押し戻す力となる。
尚、異物が引き抜かれると、角縁部２ａ及び阻止部材７０は、各々の回動軸５、７１に介装された付勢手段により反対方向に回動して、通常時の位置に復帰する。
【００２９】
この実施の形態２によれば、扉面１ａに接近して行く阻止部材７０の他方側７３が扉１の引き込み方向と逆方向に回動するように、阻止部材７０が配設されているので、当該扉面１ａに引きずられて引き込まれてきた指の先端（異物）は、当該阻止部材７０の他方側の回動正面に当接し、更なる引き込みが阻止されるだけでなく、阻止部材７０によって押し戻される。
しかも、こうして途中まで引き込まれた指（異物）は、拡大された引き込み間隙Ｇ２の角縁部２ａと扉面１ａとの間から容易に引き抜くことができる。
又、この実施の形態２によれば、上記実施の形態１のように一対のローラ６５、６６を設けることなく、比較的簡単な構成で上記実施の形態１と同様の作用効果を発揮させることができる。
【００３０】
尚、上記実施の形態１及び２では、エレベータの乗場側の扉を例にして説明したが、本発明はこれに限らず、又、片開き或いは両開きを問わず、出入口の扉が引き込まれる袖側に出入口用枠縁を備えた引き込み扉の全てに適用することができる。
【００３１】
【発明の効果】
請求項１乃至請求項４の各発明によれば、何れも、引き込み間隙に異物が挟まれて引き込まれていっても、所定以上には深く入り込まずに異物の引き込みが阻止されると共に、引き込み間隙が異物の圧力に応じて大きく拡大するので、引き込まれる異物の損傷を防ぐことができると共に、引き込み間隙からの抜き取りが容易となる。
【００３２】
請求項２及び請求項４の各発明によれば、何れも、引き込まれた異物は阻止部材によって阻止されるだけでなく、異物を弾き返えすことができる。
【図面の簡単な説明】
【図１】実施の形態１におけるエレベータの乗場側からみた当該乗場口の正面図である。
【図２】図１のＡ−Ａ線部断面図である。
【図３】図１のＢ−Ｂ線部断面図である。
【図４】図３の要部拡大図である。
【図５】図４の要部拡大側面図である。
【図６】実施の形態１において、異物が引き込まれた状態を示す図である。
【図７】実施の形態２の引き込み扉用安全装置の水平断面図である。
【図８】実施の形態２の引き込み扉用安全装置の作動状態を示す水平断面図である。
【図９】従来の第１の引き込み扉用安全装置の説明図である。
【図１０】従来の第２の引き込み扉用安全装置の説明図である。
【符号の説明】
１　扉、１ａ　扉面、２　出入口用枠、２ａ　角縁部、２ｂ　袖枠、５　回動軸（蝶番）、２０　角縁部可動手段、２１ａ　扉側面、２２ａ　出入口側面、２３ａ　係止受部、６０　引き込み阻止手段、６１　阻止部材、６２　回動軸（阻止部材）、６３　係止部、６４　阻止部、６５　駆動ローラ、６６　追従ローラ、７０　引き込み阻止手段、７１　回動軸（阻止部材）、７２　一方端側（阻止部材）、７３　他方端側（阻止部材）、Ｇ　引き込み間隙、Ｇ２　引き込み間隙（拡大回動状態）。
【図１】
2004060325.tif 000003
【図２】
2004060325.tif 000004
【図３】
2004060325.tif 000005
【図４】
2004060325.tif 000006
【図５】
2004060325.tif 000007
【図６】
2004060325.tif 000008
【図７】
2004060325.tif 000009
【図８】
2004060325.tif 000010
【図９】
2004060325.tif 000011
【図１０】
2004060325.tif 000012